(57)【要約】【課題】チューナ部のリソースを使用していない時にチューナ部の電源をオフすることで、消費電力削減を行うことが可能な無線通信機能を内蔵したテレビジョン受像機及び消費電力削減方法を提供する。【解決手段】放送信号を受信する受信装置と、無線通信により受信装置からの放送信号を受信して表示する表示装置を備えたテレビジョン受像機であって、表示装置は、外部入力を受け付ける外部入力手段と、外部入力手段からの外部入力と受信装置からの放送信号とを切り換える入力切換手段と、入力切換手段が外部入力手段からの外部入力に切り換えた場合に、受信装置へ入力切換情報を送信する送信手段とを備え、受信装置は、表示装置からの入力切換情報を受信する受信手段と、受信手段からの入力切換情報に基づいて受信装置の電源を制御する電源制御手段とを備える。【選択図】図１
2005197854.tif 000002
【特許請求の範囲】
【請求項１】
放送信号を受信する受信装置と、無線通信により前記受信装置からの放送信号を受信して表示する表示装置を備えたテレビジョン受像機であって、前記表示装置は、外部入力を受け付ける外部入力手段と、前記外部入力手段からの外部入力と前記受信装置からの放送信号とを切り換える入力切換手段と、前記入力切換手段が前記外部入力手段からの外部入力に切り換えた場合に、前記受信装置へ入力切換情報を送信する送信手段とを備え、前記受信装置は、前記表示装置からの入力切換情報を受信する受信手段と、前記受信手段からの入力切換情報に基づいて前記受信装置の電源を制御する電源制御手段とを備えたことを特徴とするテレビジョン受像機。
【請求項２】
前記電源制御手段は、前記受信手段からの入力切換情報に基づいて前記受信装置の電源をオフすることを特徴とする請求項１記載のテレビジョン受像機。
【請求項３】
放送信号を受信する受信装置と、無線通信により前記受信装置からの放送信号を受信して表示する表示装置を備えたテレビジョン受像機の消費電力削減方法であって、前記表示装置は、外部入力を受け付けるステップと、前記外部入力と前記受信装置からの放送信号とを切り換えるステップと、前記外部入力に切り換えた場合に入力切換情報を送信するステップとを備え、前記受信装置は、前記入力切換情報を受信するステップと、前記入力切換情報に基づいて電源を制御するステップとを備えたことを特徴とする消費電力削減方法。
【請求項４】
放送信号を受信する受信装置と、無線通信により前記受信装置からの放送信号を受信して表示する表示装置を備えたテレビジョン受像機の消費電力削減方法であって、前記表示装置は、外部入力を受け付けるステップと、前記外部入力と前記受信装置からの放送信号とを切り換えるステップと、前記外部入力に切り換えた場合に入力切換情報を送信するステップとを備え、前記受信装置は、前記入力切換情報を受信するステップと、前記入力切換情報に基づいて電源をオフするステップとを備えたことを特徴とする消費電力削減方法。
【請求項５】
コンピュータに、外部入力を受け付けるステップと、前記外部入力と放送信号とを切り換えるステップと、前記外部入力に切り換えた場合に入力切換情報を送信するステップと、前記入力切換情報を受信するステップと、前記入力切換情報に基づいて電源をオフするステップとを実行させるためのプログラムを記録したコンピュータ読み取り可能な記録媒体。
【請求項６】
コンピュータに、外部入力を受け付けるステップと、前記外部入力と放送信号とを切り換えるステップと、前記外部入力に切り換えた場合に入力切換情報を送信するステップと、前記入力切換情報を受信するステップと、前記入力切換情報に基づいて電源をオフするステップとを実行させるためのプログラム。
【発明の詳細な説明】
【技術分野】
【０００１】
本発明は、無線通信機能を内蔵したテレビジョン受像機及び消費電力削減方法に関する。
【背景技術】
【０００２】
従来、チューナ部とモニタ部を夫々独立させ、無線通信により映像／音声信号の送受信を行うテレビジョン受像機がある。前記テレビジョン受像機ではモニタ部を自由に持ち運びできるため、モニタ部の消費電力削減が問題となる。
【０００３】
そこで、上記問題を解決するために、無線通信を確立できないときに限り、モニタ部の電源をオフするテレビジョン受像機が公知である（例えば、特許文献１参照）。
【０００４】
上記テレビジョン受像機のモニタ部はバッテリを内蔵し、スタンド部に装脱着可能となっている。モニタ部がスタンド部へ装着されている場合は、スタンド部からバッテリの充電及びモニタ部全体への給電がなされている。一方、モニタ部がスタンド部へ装着されていない場合は、モニタ部への給電は内蔵バッテリからなされる。そして、モニタ部がスタンド部に装着されていない状態であって、かつ家庭内ネットワークと無線通信を確立できない場合に、モニタ部の電源をオフしてバッテリの消耗を抑える構成となっている。
【特許文献１】特開２００２−２０４４０８号公報
【発明の開示】
【発明が解決しようとする課題】
【０００５】
しかしながら、上記従来のテレビジョン受像機の構成では、通信が確立している時にモニタ側の外部入力を選択している場合、チューナ部のリソースを使用していないにも関わらず、チューナ部の電源がオンされたままになるという問題があった。
【０００６】
本発明は上記の問題に鑑みてなされたもので、チューナ部のリソースを使用していない時にチューナ部の電源をオフすることで、消費電力削減を行うことが可能な無線通信機能を内蔵したテレビジョン受像機及び消費電力削減方法を提供することを目的とする。
【課題を解決するための手段】
【０００７】
本発明の請求項１に係るテレビジョン受像機は、放送信号を受信する受信装置と、無線通信により受信装置からの放送信号を受信して表示する表示装置を備えたテレビジョン受像機であって、表示装置は、外部入力を受け付ける外部入力手段と、外部入力手段からの外部入力と受信装置からの放送信号とを切り換える入力切換手段と、入力切換手段が外部入力手段からの外部入力に切り換えた場合に、受信装置へ入力切換情報を送信する送信手段とを備え、受信装置は、表示装置からの入力切換情報を受信する受信手段と、受信手段からの入力切換情報に基づいて受信装置の電源を制御する電源制御手段とを備えたことを特徴とする。
【０００８】
また、本発明の請求項２に係るテレビジョン受像機は、請求項１の構成において、電源制御手段は、受信手段からの入力切換情報に基づいて受信装置の電源をオフすることを特徴とする。
【０００９】
また、本発明の請求項３に係る消費電力削減方法は、放送信号を受信する受信装置と、無線通信により受信装置からの放送信号を受信して表示する表示装置を備えたテレビジョン受像機の消費電力削減方法であって、表示装置は、外部入力を受け付けるステップと、外部入力と受信装置からの放送信号とを切り換えるステップと、外部入力に切り換えた場合に入力切換情報を送信するステップとを備え、受信装置は、入力切換情報を受信するステップと、入力切換情報に基づいて電源を制御するステップとを備えたことを特徴とする。
【００１０】
また、本発明の請求項４に係る消費電力削減方法は、放送信号を受信する受信装置と、無線通信により受信装置からの放送信号を受信して表示する表示装置を備えたテレビジョン受像機の消費電力削減方法であって、表示装置は、外部入力を受け付けるステップと、外部入力と受信装置からの放送信号とを切り換えるステップと、外部入力に切り換えた場合に入力切換情報を送信するステップとを備え、受信装置は、入力切換情報を受信するステップと、入力切換情報に基づいて電源をオフするステップとを備えたことを特徴とする。
【００１１】
また、請求項５に係る記録媒体は、請求項３の消費電力削減方法を実施するコンピュータプログラムを記録するものであり、請求項６はそのコンピュータプログラムそのものに関するものである。
【発明の効果】
【００１２】
以上のように、本発明の無線通信機能を内蔵したテレビジョン受像機によれば、モニタ部を外部入力に切り換えている時、つまりチューナ部のリソースを使用していない時、チューナ部の電源をオフすることで消費電力削減を行うことが可能となる。
【発明を実施するための最良の形態】
【００１３】
（実施の形態１）
図１は本発明の実施の形態１による無線通信機能を内蔵したテレビジョン受像機の構成を示すブロック図である。
【００１４】
チューナ部１０１は、チューナ部１０１の電源を制御するチューナ側電源制御部１０２と、地上波放送や衛星放送を受信するアンテナ部１０３と、アンテナ部１０３の映像／音声信号を選局するチューナ制御部１０４と、チューナ制御部１０４によって選局された映像／音声信号をモニタ側無線通信部１０９に送信し、またモニタ側無線通信部１０９から入力切換情報を受信するチューナ側無線制御部１０５と、チューナ側電源制御部１０２とチューナ制御部１０４とチューナ側無線制御部１０５を制御するチューナ側マイクロコンピュータ１０６で構成されている。
【００１５】
モニタ部１０７は、モニタ部１０７の電源を制御するモニタ側電源制御部１０８と、チューナ側無線通信部１０５から送信される映像／音声信号を受信し、またチューナ側無線通信部１０５に入力切換情報を送信するモニタ側無線通信部１０９と、映像／音声再生装置などを接続する外部入力部１１０と、モニタ側無線通信部１０９からの映像／音声信号と、外部入力部１１０からの映像／音声信号の切り換えを行う入力切換制御部１１１と、入力切換制御部１１１によって選択された映像／音声を表示する映像／音声出力部１１２と、モニタ側電源制御部１０８とモニタ側無線通信部１０９と入力切換制御部１１１を制御するモニタ側マイクロコンピュータ１１３で構成されている。
【００１６】
次に、本実施の形態１によるチューナ部１０１のチューナ映像／音声信号送信制御の動作を図２に示すフローチャートを用いて説明する。
【００１７】
アンテナ部１０３からチューナ映像／音声信号をチューナ制御部１０４によって選局し（ステップ２０１）、選局されたチューナ映像／音声信号をチューナ側無線通信部１０５からモニタ側無線通信部１０９に送信する（ステップ２０２）。
【００１８】
次に、本実施の形態１によるモニタ部１０７の映像／音声出力制御の動作を図３に示すフローチャートを用いて説明する。
【００１９】
モニタ側無線通信部１０９が、チューナ側無線通信部１０５から送信されたチューナ映像／音声信号を受信し（ステップ３０１）、モニタ側無線通信部１０９で受信されたチューナ映像／音声信号と外部入力部１１０からの映像／音声信号を入力切換制御部１１１で選択し（ステップ３０２）、選択された入力切換情報をモニタ側無線通信部１０９からチューナ側無線通信部１０５に送信し（ステップ３０３）、選択された映像／音声信号を映像／音声出力部１１２で出力する（ステップ３０４）。
【００２０】
最後に、本実施の形態１によるチューナ部１０１のチューナ側電源制御の動作を図４に示すフローチャートを用いて説明する。
【００２１】
モニタ側無線通信部１０９から送信された入力切換情報をチューナ側無線通信部１０５で受信し（ステップ４０１）、チューナ側無線通信部１０５で受信された入力切換情報を判別し（ステップ４０２）、入力切換情報が外部入力の場合は（ステップ４０２で「Ｙ」）、チューナ側電源制御部１０２がチューナ部１０１の電源をオフする（ステップ４０３）。
【００２２】
なお、本実施の形態１では、コンピュータプログラムによってそれぞれの手段が制御されることで実現され、このコンピュータプログラムをフロッピー（Ｒ）ディスク等の記録媒体に記録しておくことにより、移送が可能となり、独立した他の無線通信機能を内蔵したテレビジョン受像機においても容易に実施することができる。
【産業上の利用可能性】
【００２３】
本発明のテレビジョン受像機は、モニタ部を外部入力に切り換えている時、つまりチューナ部のリソースを使用していない時、チューナ部の電源をオフすることで消費電力削減を行うことができ、無線通信機能を内蔵した全てのＡＶ機器で有用である。
【図面の簡単な説明】
【００２４】
【図１】本発明の実施の形態１におけるテレビジョン受像機の構成を示すブロック図
【図２】同実施の形態におけるチューナ映像／音声信号送信制御の動作を示すフローチャート
【図３】同実施の形態における映像／音声出力の動作を示すフローチャート
【図４】同実施の形態におけるチューナ側電源制御の動作を示すフローチャート
【符号の説明】
【００２５】
１０１    チューナ部
１０２    チューナ側電源制御部
１０３    アンテナ部
１０４    チューナ制御部
１０５    チューナ側無線通信部
１０６    チューナ側マイクロコンピュータ
１０７    モニタ部
１０８    モニタ側電源制御部
１０９    モニタ側無線通信部
１１０    外部入力部
１１１    入力切換制御部
１１２    映像／音声出力部
１１３    モニタ側マイクロコンピュータ
【図１】
2005197854.tif 000003
【図２】
2005197854.tif 000004
【図３】
2005197854.tif 000005
【図４】
2005197854.tif 000006